(57)【要約】      （修正有）【課題】  従来では単独的な効用しかできなかった中通し釣ウキを、遠投して潮流・風波・海底・魚釣り場の状況に応じて集魚し魚信をとらえるようにするとともに、状況に応じ素早く容易に交換できる釣ウキを提供する。【解決手段】  釣ウキ１の上部に三脚２のウキ止め引っ掛け装置を設けて、潮流・風波に抵抗して魚信をとらえる。また、釣ウキ１にアーム８を設置してコマセカゴを付けたり、ハリ付ハリスを付けることができる。アーム８によりハリ付きハリスがミチ糸やアーム８に絡むことを防ぐことができる。さらに、ミチ糸通し装置の設置の交換ウキにより潮流・風波・海底・魚釣り場の状況に応じて、重りの負荷の異なる釣ウキに素早く、また容易に交換できる。【選択図】図６
2005328827.tif 000002
【特許請求の範囲】
【請求項１】
魚釣に用いる釣ウキで、ウキの上部にウキ止めを引っ掛ける装置を付けた中通し釣ウキ。
【請求項２】
前記の釣ウキに短いアームを取り付ける。そのアームに集魚のできるカゴを付けることのできる中通し釣ウキ。
【請求項３】
前記の釣ウキに長いアームを取り付ける。手前に集魚のできるカゴを取り付ける。末端部に針付ハリスの仕掛けをつけることができる中通し釣ウキ。
【請求項４】
糸通し縦半割りの釣ウキの両端に、簡単にミチ糸を通すことのできる装置を付ける。また、ミチ糸が釣ウキから外れないように内部パイプに入れて、パイプの両端にリング付きレバーを回してミチ糸を中心に収めるようにした中通し釣ウキ。
【発明の詳細な説明】
【発明の詳細な説明】
【技術分野】
【０００１】  本発明は、魚釣りに用いる釣ウキで、ウキの上部にウキ止めを引っ掛ける装置を付けて潮流や風波乗りしても視認で確実に魚信をとらえるようにしたものである。また、本発明は、釣ウキに長短のアームを取り付け、これに集魚できるカゴや針付きハリスを仕掛けることにより、集魚性が増し、仕掛けをより自然の流れに乗せることができる。さらに、ハリスがミチ糸やアームに絡むことを防ぐことができるようにしたものである。本発明は、潮流・風波・海底・魚釣場等の状況に応じて、素早く重りの負荷の異なる釣ウキに交換が簡単にできるようにした中通し釣ウキである。
【背景技術】
【０００２】  従来の中通し釣ウキには、円錐型・クリ型・ドングリ型・斜め型・シモリ付き型・水中ウキ型のように多種多岐に研究がなされている。また、釣法は魚種に応じて多種多様で単独的な用途の中通しの釣ウキである。
【発明が解決しようとする課題】
【０００３】  本来、釣ウキは狙うポイントにエサを所定のタナに設置して、魚の動きを伝える役割を果たすものであるが、遠投したり、潮流・風波・海底・魚釣場等の状況に対応して、魚信をとらえる。また、集魚して確実に魚信をとらえることである。
【０００４】  しかし、前記従来の釣ウキでは、潮流・風波・海底・魚釣場等の状況に応じて釣ウキの交換をする場合、その過程は複雑で容易ではない。
【課題を解決するための手段】
【０００５】  本発明は、魚釣りに用いる釣ウキであって、前記課題を解決するために釣ウキの上部にウキ止めを引っ掛ける装置を付けて、潮流・風波等の釣場の条件に対応し、確実に魚信をとらえる中通し釣ウキである。
【０００６】本発明１の釣ウキに短いアームを取り付ける。そのアームに集魚のできるカゴを取り付ける。これを遠投入し、集魚して魚信をとらえることにより、釣果に威力を発揮することができる。
【０００７】  本発明１の釣ウキに長いアームを取り付ける。そのアームの手前に集魚のできるカゴを取り付け、末端部にハリ付きハリスを仕掛けることにより、集魚して確実に魚信をとらえる。さらに、ハリスがミチ糸やアームに絡むことを防ぐことができる。
【０００８】  本発明は、糸通し縦半割の釣ウキの両端に簡単にミチ糸を通すことのできる装置を付ける。また、ミチ糸が釣ウキより外れないように内部パイプに入れて、パイプの両端にリング付きレバーを回すことによりミチ糸を中心に収めるようにした。これで潮流・風波・海底・魚釣場等の状況に応じて素早く、重り負荷の異なる釣ウキに交換が簡単にできる。
【発明を実施するための最良の形態】
【０００９】  以下、本発明の第１実施の形態について図面に基づいて説明する。図１は、釣ウキ１の平面図、図２は側面図で図３は詳細構造側面図と詳細構造断面図は図４に示すとおりである。
図１で釣ウキ１の上部に１２０°に分かれた三脚２を設置する。釣時は、ミチ糸３に釣ウキ止め４を付けてシモリ玉５を通してから本釣ウキ１を通す。三脚２の上部の上面に曲部を設けて釣ウキ止め４をスムーズに通し、出るときは直角の角に引っ掛かり抵抗を受けるようにした構造である。また、この釣ウキ１のミチ糸３の通し孔の両端にウキ止め４のリング６を設置する。さらにケミホタルの装着口７を設けることで夜釣りも使用できるようにしている。なお、三脚部２を釣ウキ１本体に切り込んで、埋込形でもよい。【００１０】  第２の実施の形態は、釣ウキ１の平面図５と側面図６に示すように、前記の釣ウキ１に短アーム８を設置する。このアーム８にコマセカゴ９を付けたスナップ付サルカン１０で止めたり、ハリ付ハリス１１も付けることができる構造である。また、バランスをとるにはアーム８側の下部に空洞部を設けて調整する。【００１１】  第３の実施の形態は、釣ウキ１の平面図７と側面図８に示すように、第１の実施の形態の釣ウキ１に長アーム１２を設置する。このアーム１２の手前にコマセカゴ９を付けたスナップ付サルカン１０で止め、ハリ付ハリス１１をアーム１２の端部につけるようにした構造である。バランスをとるには、アーム１２側の下部に空洞部を設けて調整する。【００１２】  第４の実施の形態は、糸通し縦半割部１３の交換釣ウキ１４の平面図９と断面図１０と両端に容易にミチ糸を通す装置１５の詳細構造平面図１１と詳細構造断面図１２で示す通りである。本釣ウキ１４は、ウキ１４本体に糸通し縦半割部１３を設ける。ウキの両端に容易にミチ糸３を通す装置１５を設置する。ウキ１４のミチ糸３通し孔１６に開口パイプ１７を設けて両端にレバー付リング１８を設置した構造である。この釣ウキ１４の使用は、図１１に示すようにミチ糸３をＡからＢ方向に通して、孔１６の中に入れてから開口パイプ１７のレバー付リング１８を回して閉じる。交換時は逆の操作となる。また、バランスをとるには糸通し縦半割部１３の反対側の下部に空洞部を設けて調整する。なお、糸を通す装置１５をウキ１４本体に切り込んだ状態にすれば障害もなくなる。
【発明の効果】
【００１３】  発明を以上のように説明した構造で使用すると、三脚のウキ止め装置により潮流や風波に抵抗することで魚信をとらえることができる。また短アームを設けて、コマセカゴをつけることにより、さらに集魚して魚信をとらえることができる。さらに、長アームを設置し、コマセカゴとハリ付ハリスをつけることにより、潮流に合わせて集魚して魚信をとらえることができ、しかもハリ付ハリスがミチ糸やアームに絡むことを防ぐことができる。交換ウキは、潮流・風波・海底・魚釣場等の状況に応じて、素早く重りの負荷の異なる釣ウキに容易に交換することができる。なお、アームとミチ糸を通す装置の金属部は、釣時、持ち運び時に変形しないように形状記憶合金等の素材を用いる。
【図面の簡単な説明】
【００１４】
【図１】  釣ウキの平面図
【図２】  釣ウキの側面図
【図３】  ウキ止め引っ掛け装置の詳細構造側面図
【図４】  ウキ止め引っ掛け装置の詳細構造断面図
【図５】  短アーム付釣ウキ平面図
【図６】  短アーム付釣ウキ側面図
【図７】  長アーム付釣ウキ平面図
【図８】  長アーム付釣ウキ側面図
【図９】  交換釣ウキ側面図
【図１０】  交換釣ウキ断面図
【図１１】  端部ミチ糸通し装置の詳細構造平面図（実施例図）
【図１２】  端部ミチ糸通し装置の詳細構造断面図
【符号の説明】
【００１５】１．  釣ウキ
２．  三脚（ウキ止め引っ掛け装置）
３．  ミチ糸
４．  ウキ止め
５．  シモリ玉
６．  リング
７．  ケミコホタルの装着口
８．  短アーム
９．  コマセカゴ
１０．  スナップ付サルカン
１１．  ハリ付ハリス
１２．  長アーム
１３．  糸通し縦半割部
１４．  交換ウキ
１５．  ミチ糸通し装置
１６．  孔
１７．  開口パイプ
１８．  レバー付リング
【図１】
2005328827.tif 000003
【図２】
2005328827.tif 000004
【図３】
2005328827.tif 000005
【図４】
2005328827.tif 000006
【図５】
2005328827.tif 000007
【図６】
2005328827.tif 000008
【図７】
2005328827.tif 000009
【図８】
2005328827.tif 000010
【図９】
2005328827.tif 000011
【図１０】
2005328827.tif 000012
【図１１】
2005328827.tif 000013
【図１２】
2005328827.tif 000014